【手続補正書】
【提出日】平成15年11月28日(2003.11.28)
【手続補正１】
【補正対象書類名】明細書
【補正対象項目名】請求項１
【補正方法】変更
【補正の内容】
【請求項１】
現像剤を格納する現像剤格納手段を備えたプロセスカートリッジと、前記プロセスカートリッジを装着可能とされ、前記現像剤を用いて像担持体に作用するプロセス手段により印字動作を行う画像形成装置と、前記画像形成装置に画像データを送出して前記印字動作を行わせるホスト装置とからなる画像形成システムにおいて、
前記プロセスカートリッジの装着時に当該カートリッジの各個体を識別するための識別情報を前記ホスト装置に出力する情報出力手段と、
前記識別情報を入力し、当該情報に基づいて予め前記プロセスカートリッジの使用状態情報を格納する情報格納手段と、
前記印字動作が指示されたときに当該動作が前記プロセスカートリッジに与える使用状態の変化を検出し、検出結果にしたがって前記使用状態情報を更新する情報更新手段と、
前記更新された前記使用状態情報にしたがって前記現像剤格納手段中の前記現像剤の消費量を判断する消費量判断手段と
を備えたことを特徴とする画像形成システム。
【手続補正２】
【補正対象書類名】明細書
【補正対象項目名】請求項２
【補正方法】変更
【補正の内容】
【請求項２】
請求項１に記載の画像形成システムにおいて、
前記情報出力手段は、
前記プロセスカートリッジが前記画像形成装置に装着されると前記識別情報を前記画像形成装置に入力する手段と、
前記入力された前記識別情報を検出して前記ホスト装置に出力する手段と
を備えたことを特徴とする画像形成システム。
【手続補正３】
【補正対象書類名】明細書
【補正対象項目名】請求項３
【補正方法】変更
【補正の内容】
【請求項３】
請求項１または２に記載の画像形成システムにおいて、
前記情報出力手段は、
前記プロセスカートリッジに設けられた第１の複数の端子と、
前記第１の複数の端子を選択的に接続する配線部材と、
前記画像形成装置に設けられており、前記第１の複数の端子にそれぞれが電気的に接続される第２の複数の端子とを備え、
前記第１の複数の端子と前記第２の複数の端子が接続されることで前記識別情報を出力することを特徴とする画像形成システム。
【手続補正４】
【補正対象書類名】明細書
【補正対象項目名】請求項４
【補正方法】変更
【補正の内容】
【請求項４】
請求項１または２に記載の画像形成システムにおいて、
前記情報出力手段は、
前記プロセスカートリッジのそれぞれ所定位置に選択的に設けられた複数の突部と、
前記画像形成装置に設けられ、前記複数の突部の配設位置に対応した被押圧部の押圧によって動作する複数の導通手段とを備え、
それぞれの前記被押圧部が前記複数の突部に押圧されることで前記識別情報を出力することを特徴とする画像形成システム。
【手続補正５】
【補正対象書類名】明細書
【補正対象項目名】請求項７
【補正方法】変更
【補正の内容】
【請求項７】
現像剤を格納する現像剤格納手段を備えたプロセスカートリッジを装着可能とされ、前記現像剤を用いて像担持体に作用するプロセス手段により印字動作を行う画像形成装置において、
前記プロセスカートリッジが装着されたときに入力される識別情報を検出する検出手段と、
前記検出した前記識別情報を前記画像形成装置に接続されるホスト装置に出力する手段と
を備えたことを特徴とする画像形成装置。
【手続補正６】
【補正対象書類名】明細書
【補正対象項目名】請求項８
【補正方法】変更
【補正の内容】
【請求項８】
請求項７に記載の画像形成装置において、
前記検出手段は、前記プロセスカートリッジが装着されたときに、前記プロセスカートリッジに設けられた配線部材によって選択的に接続される第１の複数の端子に電気的に接続される第２の複数の端子を備え、
前記第１の複数の端子と前記第２の複数の端子が接続されることで前記識別情報を検出することを特徴とする画像形成装置。
【手続補正７】
【補正対象書類名】明細書
【補正対象項目名】請求項９
【補正方法】変更
【補正の内容】
【請求項９】
請求項７に記載の画像形成装置において、
前記検出手段は、前記プロセスカートリッジの所定位置に選択的に設けられた複数の突部の配設位置に対応して設けられており、被押圧部の押圧によって動作する複数の導通手段を備え、
前記プロセスカートリッジが装着されたときに、それぞれの前記被押圧部が前記複数の突部に押圧されることで前記識別情報を検出することを特徴とする画像形成装置。
【手続補正８】
【補正対象書類名】明細書
【補正対象項目名】請求項１０
【補正方法】変更
【補正の内容】
【請求項１０】
印字動作に用いられる現像剤を格納する現像剤格納手段を備え、画像形成装置に装着可能なプロセスカートリッジにおいて、
前記画像形成装置に装着されたときに、前記プロセスカートリッジを識別するための識別情報を前記画像形成装置に出力する出力手段を備えたことを特徴とするプロセスカートリッジ。
【手続補正９】
【補正対象書類名】明細書
【補正対象項目名】００１０
【補正方法】変更
【補正の内容】
【００１０】
【課題を解決するための手段】
上記の課題を解決するために、請求項１の発明は、現像剤を格納する現像剤格納手段を備えたプロセスカートリッジと、前記プロセスカートリッジを装着可能とされ、前記現像剤を用いて像担持体に作用するプロセス手段により印字動作を行う画像形成装置と、前記画像形成装置に画像データを送出して前記印字動作を行わせるホスト装置とからなる画像形成システムにおいて、前記プロセスカートリッジの装着時に当該カートリッジの各個体を識別するための識別情報を前記ホスト装置に出力する情報出力手段と、前記識別情報を入力し、当該情報に基づいて予め前記プロセスカートリッジの使用状態情報を格納する情報格納手段と、前記印字動作が指示されたときに当該動作が前記プロセスカートリッジに与える使用状態の変化を検出し、検出結果にしたがって前記使用状態情報を更新する情報更新手段と、前記更新された前記使用状態情報にしたがって前記現像剤格納手段中の前記現像剤の消費量を判断する消費量判断手段とを備えたことを特徴とする画像形成システムを提供する。


【手続補正１０】
【補正対象書類名】明細書
【補正対象項目名】００１１
【補正方法】変更
【補正の内容】
【００１１】
また、請求項２の発明は、請求項１に記載の画像形成システムにおいて、前記情報出力手段は、前記プロセスカートリッジが前記画像形成装置に装着されると前記識別情報を前記画像形成装置に入力する手段と、前記入力された前記識別情報を検出して前記ホスト装置に出力する手段とを備えたことを特徴とする画像形成システムを提供する。


【手続補正１１】
【補正対象書類名】明細書
【補正対象項目名】００１２
【補正方法】変更
【補正の内容】
【００１２】
また、請求項３の発明は、請求項１または２に記載の画像形成システムにおいて、前記情報出力手段は、前記プロセスカートリッジに設けられた第１の複数の端子と、前記第１の複数の端子を選択的に接続する配線部材と、前記画像形成装置に設けられており、前記第１の複数の端子にそれぞれが電気的に接続される第２の複数の端子とを備え、前記第１の複数の端子と前記第２の複数の端子が接続されることで前記識別情報を出力することを特徴とする画像形成システムを提供する。


【手続補正１２】
【補正対象書類名】明細書
【補正対象項目名】００１３
【補正方法】変更
【補正の内容】
【００１３】
また、請求項４の発明は、請求項１または２に記載の画像形成システムにおいて、前記情報出力手段は、前記プロセスカートリッジのそれぞれ所定位置に選択的に設けられた複数の突部と、前記画像形成装置に設けられ、前記複数の突部の配設位置に対応した被押圧部の押圧によって動作する複数の導通手段とを備え、それぞれの前記被押圧部が前記複数の突部に押圧されることで前記識別情報を出力することを特徴とする画像形成システムを提供する。


【手続補正１３】
【補正対象書類名】明細書
【補正対象項目名】００１６
【補正方法】変更
【補正の内容】
【００１６】
また、請求項７の発明は、現像剤を格納する現像剤格納手段を備えたプロセスカートリッジを装着可能とされ、前記現像剤を用いて像担持体に作用するプロセス手段により印字動作を行う画像形成装置において、前記プロセスカートリッジが装着されたときに入力される識別情報を検出する検出手段と、前記検出した前記識別情報を前記画像形成装置に接続されるホスト装置に出力する手段とを備えたことを特徴とする画像形成装置を提供する。


【手続補正１４】
【補正対象書類名】明細書
【補正対象項目名】００１７
【補正方法】変更
【補正の内容】
【００１７】
また、請求項８の発明は、請求項７に記載の画像形成装置において、前記検出手段は、前記プロセスカートリッジが装着されたときに、前記プロセスカートリッジに設けられた配線部材によって選択的に接続される第１の複数の端子に電気的に接続される第２の複数の端子を備え、前記第１の複数の端子と前記第２の複数の端子が接続されることで前記識別情報を検出することを特徴とする画像形成装置を提供する。


【手続補正１５】
【補正対象書類名】明細書
【補正対象項目名】００１８
【補正方法】変更
【補正の内容】
【００１８】
また、請求項９の発明は、請求項７に記載の画像形成装置において、前記検出手段は、前記プロセスカートリッジの所定位置に選択的に設けられた複数の突部の配設位置に対応して設けられており、被押圧部の押圧によって動作する複数の導通手段を備え、前記プロセスカートリッジが装着されたときに、それぞれの前記被押圧部が前記複数の突部に押圧されることで前記識別情報を検出することを特徴とする画像形成装置を提供する。


【手続補正１６】
【補正対象書類名】明細書
【補正対象項目名】００１９
【補正方法】変更
【補正の内容】
【００１９】
また、請求項１０の発明は、印字動作に用いられる現像剤を格納する現像剤格納手段を備え、画像形成装置に装着可能なプロセスカートリッジにおいて、前記画像形成装置に装着されたときに、前記プロセスカートリッジを識別するための識別情報を前記画像形成装置に出力する出力手段を備えたことを特徴とするプロセスカートリッジを提供する。


【手続補正１７】
【補正対象書類名】明細書
【補正対象項目名】００４８
【補正方法】変更
【補正の内容】
【００４８】
【発明の効果】
以上説明したように本発明によれば、プロセスカートリッジの装着時に各個体を識別するための識別情報に基づいて予めプロセスカートリッジの使用状態情報を格納しておき、印字動作が指示されたときにその動作がプロセスカートリッジに与える使用状態の変化を検出した結果にしたがって使用状態情報を更新し、更新された情報にしたがってプロセスカートリッジ内の現像剤の消費量を判断するようにしたので、プロセスカートリッジに簡単な変更を加えるのみで、プロセスカートリッジの使用状態の管理を行えるという効果がある。